(57)【要約】【課題】動的２次元コードの表示方法及びそのデコード変換方法を提供する。【解決手段】動的２次元コードの表示方法及びそのデコード変換方法において、そのうち、該表示方法は、先ず少なくとも一つの２次元コードを提供し、次に少なくとも一つの識別画像を提供し、そして表示モジュールに基づき該少なくとも一つの２次元コードと少なくとも一つの識別画像を順に重畳して電子設備のユニット表示するステップを含む。該デコード変換方法は、先ずは上述の表示ステップを行い、次に表示ユニットに表示した動的２次元コードを収集し、そして該動的２次元コード内で各２次元コードと識別画像をデコード変換して判定し、更に判定した２次元コードを第一状態として定義し識別画像を第二状態として定義し、そして統合計算したすべての状態は識別コードを取得し、そしてその識別コードに基づき後続作業を行うか否かを判定するステップを含む。本発明は、設定した表示モジュールに基づき、各種形態の動的２次元コードを表示することができ、更にそのデコード変換と共に、ユーザーの便利性及び電子設備のインタラクティブ作用を向上させる。【選択図】図３
2017539038.tif 000002
【特許請求の範囲】
【請求項１】
動的２次元コードの表示方法において、そのうち、
少なくとも一つの２次元コードを提供し、そのうち、該２次元コードは、デジタルデータを２次元コード基準でエンコード生成した画像であるというステップと、
少なくとも一つの識別画像を提供し、そのうち、該識別画像は人の目で識別できる画像であるというステップと、
表示モジュールに基づいて少なくとも一つの２次元コードと少なくとも一つの識別画像を順に重畳し、電子設備の表示ユニットに表示し、そのうち、該表示モジュールは表示画像の表示順序、表示画像の表示時間の長さ及び隣接する表示画像の時間間隔を定義し、該表示画像は該２次元コードと該識別画像を含むというステップから構成されることを特徴とする動的２次元コードの表示方法。
【請求項２】
前記識別画像は、２次元コードデコーダが２次元コード基準に依る識別できない画像であり、該識別画像は人の目で識別でき、該２次元コードデコーダが識別できない非識別２次元コード、空白画像及び透明のページを含むことを特徴とする請求項１記載の動的２次元コードの表示方法。
【請求項３】
前記表示画像の表示時間の長さは、同じか、もしくは同じでないかであり、隣接する該表示画像の時間間隔はゼロを含むことを特徴とする請求項１記載の動的２次元コードの表示方法。
【請求項４】
前記表示画像の表示時間の長さは、すべて同じであり、隣接する表示画像の時間間隔は、ゼロであることを特徴とする請求項３記載の動的２次元コードの表示方法。
【請求項５】
前記表示ユニットは、タッチディプレイであり、該タッチディプレイ上に表示した該識別画像にタッチすると、該電子設備の保存ユニット上に保存したアプリが検出し、且つ該アプリが定義した後続操作をアクティベートすることを特徴とする請求項１記載の動的２次元コードの表示方法。
【請求項６】
動的２次元コードのデコード変換方法において、そのうち、
少なくとも一つの２次元コードを提供し、そのうち、該２次元コードは、デジタルデータを２次元コード基準でエンコード生成した画像であるというステップと、
少なくとも一つの識別画像を提供し、そのうち、該識別画像は人の目で識別できる画像であるというステップと、
表示モジュールに基づいて少なくとも一つの２次元コードと少なくとも一つの識別画像を順に重畳し、電子設備の表示ユニットに表示し、そのうち、該表示モジュールは表示画像の表示順序、表示画像の表示時間の長さ及び隣接する表示画像の時間間隔を定義し、該表示画像は該２次元コードと該識別画像を含むというステップと、
該表示ユニットの該動的２次元コードを採集するというステップと、
該動的２次元コード内において、デコード変換して識別し、該２次元コードと該識別画像を判定するというステップと、
判定した該２次元コードを第一状態として定義し、該識別画像を第二状態として定義し、且つ該第一状態と該第二状態は相反するというステップと、
該表示画像の表示順序、表示時間の長さ、隣接する時間間隔及び該２次元コードと該識別画像２次元コード代表する状態に基づき、統合計算して識別コードを取得するというステップと、
識別コードの数値に基づき、後続作業を実行するか否かを判定するというステップから構成することを特徴とする動的２次元コードのデコード変換方法。
【請求項７】
前記識別画像は、２次元コードデコーダが２次元コード基準にもとづいて識別した画像であり、該識別画像は人の目で識別でき２次元コードデコーダが識別できない２次元コード、空白画像及び透明のページであることを特徴とする請求項６記載の動的２次元コードのデコード変換方法。
【請求項８】
前記表示画像の表示時間の長さは、同じか、もしくは同じではなく、隣接する表示画像の時間間隔はゼロを含むことを特徴とする請求項６記載の動的２次元コードのデコード変換方法。
【請求項９】
前記表示画像の表示時間の長さは、同じであり、隣接する表示画像の時間間隔はゼロであることを特徴とする請求項８記載の動的２次元コードのデコード変換方法。
【請求項１０】
前記後続作業は、二個の電子設備間のインタラクティブ操作を含むことを特徴とする請求項６記載の動的２次元コードのデコード変換方法。
【請求項１１】
前記後続作業は、動的２次元コード内の該２次元コードデジタルデータに対してデコード変換と使用を行うことを含むことを特徴とする請求項６記載の動的２次元コードのデコード変換方法。
【発明の詳細な説明】
【技術分野】
【０００１】
本発明は、動的２次元コードの表示方法及びそのデコード変換方法に関し、特に電子設備間において、インタラクティブな動的２次元コードの表示方法及びそのデコード変換方法に係わる。
【背景技術】
【０００２】
２次元コードは今日市場において非常に広く使用されている。一般に見かけるのは４９コード(ｃｏｄｅ ４９)、１６Ｋコード、ＰＤＦ４１７、スーパーコード、ドットコードＡ、ＵＳＳコード、マキシーコード（ＭＡＸＩＣＯＤＥ）、データマトリックス、ＡＺｔｅｃコード、ＱＲコード（登録商標）等々がある。
【０００３】
ＱＲコード（登録商標）(Quick Response Code)は、元々工業において応用された二次元マトリックスバーコードの一つであるが、すでに消費市場において普及している。
【０００４】
技術と応用の発展につれ、異なる付加機能はＱＲコード（登録商標）に連続して加入されており、その加えられた機能は人の目で識別でき、カスタマイズされている。例としてＱＲコード（登録商標）を選んでユーザーに与える時、識別ＱＲコード（登録商標）開発はすでにＱＲコード（登録商標）において個人が識別できる静態画像を含み、ユーザーの便利性を高める。
【０００５】
しかしながら、ＱＲコード（登録商標）は商業と広告アプリの基本機能は変わらずに同じであり、即ち撮影電子設備が撮影してＱＲコード（登録商標）を採集し、更にデコード変換した後、該撮影電子設備が該ＱＲコード（登録商標）に代表するデジタルデータを表示したり、もしくはデジタルデータを送信したり、もしくは該撮影電子設備が特定のウェブサイト等までリンクしたりする。
【発明の概要】
【発明が解決しようとする課題】
【０００６】
本発明の主な目的は、電子設備間においてインタラクティブな動的２次元コードの表示方法及びそのデコード変換方法を提供する。
【課題を解決するための手段】
【０００７】
上述の目的を達成するため、本発明の動的２次元コードの表示方法は以下のステップのとおりである。
【０００８】
少なくとも一つの２次元コードを提供する。そのうち、該２次元コードはデジタルデータを該２次元コード基準に基づいてエンコードした画像である。
【０００９】
少なくとも一つの識別できる画像を提供する。そのうち、該識別画像は人の目で識別できる画像である。
【００１０】
表示モジュールに基づいて少なくとも一つの２次元コードと少なくとも一つの識別画像を順に重ね、電子設備の表示ユニットに表示する。そのうち、該表示モジュールは、表示画像の表示順序、表示画像の表示時間の長さ及び隣接する表示画像の時間間隔を定義し、該表示画像は該２次元コードと該識別画像を含む。
【００１１】
更に、該識別画像は２次元コードデコーダが２次元コード基準に基づき識別できない画像であり、該識別画像は人の目で識別できるが該２次元コードデコーダでは識別できない非識別２次元コード、空白画像及び透明のページを含む。
【００１２】
更に、該表示画像の表示時間の長さは同じ、もしくは同じではなく、隣接する表示画像の時間の間隔はゼロを含む。
【００１３】
更に、該表示画像内の該２次元コードと該識別画像の表示時間の長さは同じであり、隣接する該表示画像の時間間隔はゼロである。
【００１４】
更に、該表示ユニットはタッチディプレイであり、該タッチディプレイ上に表示された該識別画像をタッチすると、該電子設備の保存ユニット上で保存したアプリケーションによって検出し、更に該アプリケーションが定義した後続操作をアクティベートする。
【００１５】
本発明の動的２次元コードのデコード変換方法は、以下のステップを含む。
【００１６】
少なくとも一つの２次元コードを提供する。そのうち、該２次元コードは一デジタルデータを２次元コードの基準でエンコード生成した画像である。
【００１７】
少なくとも識別画像を提供する。そのうち、識別画像は、人の目で識別できる画像である。
【００１８】
表示モジュールに基づき該少なくとも２次元コードと該少なくとも識別画像を順に重畳して電子設備ユニットの表示ユニットに表示する。そのうち該表示モジュールは表示画像の表示順序、表示画像の表示時間の長さ、及び隣接する表示画像の時間間隔を定義する。該表示画像は該２次元コードと該識別画像を含む。
【００１９】
該表示ユニットが表示した該動的２次元コードを採取する。
【００２０】
該動的２次元コードにおいて、デコード変換して識別し、且つ該２次元コードと該識別画像を判定する。
【００２１】
判定した該２次元コードを第一状態として定義し、該識別画像を第二状態として定義し、且つ該第一状態と該第二状態は相反する。
【００２２】
該表示画像の表示順序、表示時間の長さ、隣接する時間間隔及び該２次元コードと該識別画像に代表する状態に基づき統合して計算し、識別コードを取得する。
【００２３】
識別コードの数値に基づいて後続作業を進めるか否かを判断する。
【００２４】
更に、該識別画像は２次元コードデコーダが２次元コード基準に基づき識別できない画像であり、該識別画像は、人の目で識別できるが２次元コードデコーダで識別できない非識別２次元コード、空白画像及び透明のページを含む。
【００２５】
更に、該表示画像の表示時間の長さは同じか、もしくは同じではなく、隣接する表示画像の時間間隔はゼロを含む。
【００２６】
更に、該表示画像の該２次元コードと該識別画像の表示時間はすべて同じであり、隣接する該表示画像の時間間隔はゼロである。
【００２７】
更に、該後続作業は、二個の電子設備間のインタラクティブ操作を含む。
【００２８】
更に、該後続作業は、該動的２次元コードの該２次元コードデジタルデータに対してデコード変換と使用の実施を含む。
【発明の効果】
【００２９】
本発明の動的２次元コードの表示方法及びデコード変換方法は、２次元コード及び識別画像を設定する表示モジュールによって、各種形態の動的２次元コードを表示でき、動的２次元コードのデコード変換と共にユーザーの便利性及び電子設備のインタラクティブ作用を向上させる。
【００３０】
下述の図式、実施例の詳細説明及び請求項において、上述及び当提示のその他優れた点を後述する。
【図面の簡単な説明】
【００３１】
【図１】本発明の一実施例の動的２次元コードの表示方法のフローチャートである。
【図２】図１の実施例と一致する指示図であり、動的２次元コード内の２次元コードと識別できた画像である。
【図３】図１実施例と一致する指示図であり、表示モジュールで表示した動的２次元コードである。
【図４】本発明の動的２次元コードのデコード変換方法である。
【発明を実施するための形態】
【００３２】
以下の実施例において、ＱＲコード（登録商標）を使用したものを２次元コードの例とし、本発明の構造と使用を説明する。
【００３３】
図１は本発明の一実施例の動的２次元コードの表示方法のフローチャートである。図１に示すとおり、本発明の動的２次元コードの表示方法は以下のステップを含む。
【００３４】
ステップＳ２００は、少なくとも一つの２次元コードを提供する。そのうち、該２次元コードはデジタルデータを該２次元コード基準に基づいてエンコードした画像である。
【００３５】
ステップＳ２１０は、少なくとも一つの識別できる画像を提供する。そのうち、該識別画像は人の目で識別できる画像である。
【００３６】
ステップＳ２２０は、表示モジュールに基づいて少なくとも一つの２次元コードと少なくとも一つの識別画像を順に重ね、電子設備の表示ユニットに表示する。そのうち、該表示モジュールは、表示画像の表示順序、表示画像の表示時間の長さ及び隣接する表示画像の時間間隔を定義し、該表示画像は該２次元コードと該識別画像を含む。表示モジュールが定義する表示画像の表示順序、表示時間の長さ、及び表示画像の時間間隔を変更することに拠って、電子設備の表示ユニットで各種形態の動的２次元コードを表示できる。
【００３７】
図２は、本発明の動的２次元コード内の２次元コードと識別画像の指示図である。図３は本発明の動的２次元コードの表示モジュールの稼働を表示した指示図である。図２及び図３に示すとおり、一種の動的２次元コード１００は、電子設備間のインタラクティブにより、動的２次元コードを表示した第一電子設備と第二電子設備を適用する。該第二電子設備はカメラツールによって該第一電子設備の表示ユニットが表示した該動的２次元コード１００を採取する。この動的２次元コード１００は、少なくとも一つの２次元コード１１０、識別画像１２０、及び表示周期Ｔを備えた表示モジュール１３０を含む。そのうち、該２次元コード１１０はデジタルデータを該２次元コード基準で生成した画像である。該識別画像１２０は人の目で識別でき、２次元コードリーダでは識別できない画像である。該表示モジュール１３０は、シーケンシャルな表示画像の表示順序、各表示画像の表示時間の長さ、及び隣接する表示画像の時間間隔を定義し、各該２次元コード１１０と該識別画像１２０はどちらも該表示画像を定義され、更に該動的２次元コード１００は循環表示される。当実施例において、該表示モジュール１３０は１２個の該２次元コード１１０と８個の該識別画像１２０を含み、表示周期Ｔの二十分の１の時間の長さによって各表示画像を表示する。即ち、各表示画像の表示時間はどちらも同じであり、且つ各隣接する表示画像の時間の間隔はゼロとする。
【００３８】
しかしながら、本発明の表示モジュールはこれに制限されず、上述のステップＳ２２０は２次元コードと識別画像の数、形態、表示順序、表示時間の長さ、及び表示画像の時間の間隔を任意に調整することによって、各表示画像は必要な形態の動的２次元コードを表示することができる。
【００３９】
ユーザーがタッチディスプレイの動的２次元コード１００の識別画像１２０をタッチ表示すると、該タッチモジュールはタッチディスプレイを監視する電子設備のアプリケーションで検出する。これによってユーザーは該動的２次元コード１００をタッチし、アプリケーションで検出し、且つアプリケーションが定義した後続操作のアプリケーションをアクティベートする。
【００４０】
この他、該２次元コード１１０は、２次元コードデコーダが２次元コード基準に基づき識別した画像でなければならず、単純２次元コード、局部エリアの人の目で識別できる画像を備えた２次元コード…等を含む。
【００４１】
この他、該識別画像１２０は、２次元コードデコーダで２次元コード基準に基づいて識別できない画像として定義し、単純画像（例として、各種人形、樹木、草花画像、数字記号、会社商標、写真…等）、２次元コードデコーダが識別できない非識別２次元コード、空白画像、及び透明のページを含む。
【００４２】
更に該表示モジュール１３０内の各該２次元コードと該識別画像は、同じ、もしくは異なるものでも良い。
【００４３】
２次元コード基準でエンコードしたデジタルデータは、第一電子設備と第二電子設備の間で様々な構築連接とインタラクティブな情報を含む。このデジタルデータは、第一電子設備を識別する少なくとも一第一電子設備のデータ、そして動的２次元コードによって第一と第二電子設備間でインタラクティブな作用を行う情報交換プロトコル、更にインタラクティブな電子設備のペアリングを行う確認キーを含む。
【００４４】
具体的に説明すると、本発明の該動的２次元コード１００は、電子設備の表示ユニットを通じ、該表示モジュール１３０に準拠し、該電子設備の表示ユニットにおいて、多数の該２次元コード１１０と多数の該識別画像１２０を該表示モジュール１３０に定義したシーケンシャルな順序、各該表示画像の表示時間の長さ及び隣接する表示画像の時間間隔に基づき、順に表示し、更に各該動的２次元コード１００は循環表示する。
【００４５】
実際の表示状態において、該動的２次元コード１００は、少なくとも数種の形態を含む。
【００４６】
類似の静的２次元コード画像について、その状態下において、各表示画像の時間は短期的で快速であり、且つ二個の隣接する表示画像の時間間隔はゼロとし、人の目では見つけられない該動的２次元コード１００は、シーケンシャルな表示画像から構成される。この実施例において、該動的２次元コード１００内の多くの２次元コード１１０はすべて同じであり、該識別画像１２０は空白画像もしくは透明のページである。
【００４７】
動的点滅の２次元コード画像について、その状態には二種類ある。一つ目は人の目で識別できる画像に於ける動的点滅の２次元コードを備え、該実施例の中の該動的２次元コード１００内の複数の２次元コード１１０はすべて同じであり、該複数の識別画像１２０は２次元コード１１０の識別画像を含む。二つ目は該動的２次元コード１００の中の多数の表示画像の表示時間が長い。当実施例の該動的２次元コード１００において、該識別画像１２０は少なくとも空白画像もしくは透明ページを含み、長時間表示する空白画像もしくは透明のページを備えることにより、該動的２次元コード１００を点滅した動態にする。
【００４８】
連続性の動的画像の２次元コードについて、この実施例の該動的２次元コード１００の複数の該２次元コード１１０は、同じか、もしくは異なり、一部の該識別画像１２０は、複数の連続性の異なる表示画像である。シーケンシャルな表示画像が快速に表示した時、動的画像が２次元コード内に表示される。
【００４９】
図４は、本発明の動的２次元コードのデコード変換方法のフローチャートである。図４に示すとおり、本発明の動的２次元コードのデコード変換方法は、以下のステップを含む。
【００５０】
ステップＳ３００は、少なくとも一つの２次元コードを提供する。そのうち、該２次元コードは一デジタルデータを２次元コードの基準でエンコード生成した画像である。
【００５１】
ステップＳ３１０は、少なくとも識別画像を提供する。そのうち、識別画像は、人の目で識別できる画像である。
【００５２】
ステップＳ３２０は、表示モジュールに基づき該少なくとも２次元コードと該少なくとも識別画像を順に重畳して電子設備ユニットの表示ユニットに表示する。そのうち該表示モジュールは表示画像の表示順序、表示画像の表示時間の長さ、及び隣接する表示画像の時間間隔を定義する。該表示画像は該２次元コードと該識別画像を含む。
【００５３】
ステップＳ３３０は、該表示ユニットが表示した該動的２次元コードを採取する。例として、動的２次元コードは別の電子設備内のカメラツールを使用して撮影採集する。しかしながら、本発明の動的２次元コードの採集方法はこれに限らない。
【００５４】
ステップＳ３４０は、該動的２次元コードにおいて、デコード変換して識別し、且つ該２次元コードと該識別画像を判定する。
【００５５】
ステップＳ３５０は、判定した該２次元コードを第一状態として定義し、該識別画像を第二状態として定義し、且つ該第一状態と該第二状態は相反する。
【００５６】
ステップＳ３６０は、該表示画像の表示順序、表示時間の長さ、隣接する時間間隔及び該２次元コードと該識別画像に代表する状態に基づき統合して計算し、識別コードを取得する。
【００５７】
ステップＳ３７０は、識別コードの数値に基づいて後続作業を進めるか否かを判断する。
【００５８】
上述のステップＳ３００からＳ３２０と図１のステップＳ２００―Ｓ２２０は同じであり、前述のステップＳ２００からＳ２２０はすでに詳述しているため、ここではステップＳ３００からＳ３２０は詳述せず、ステップＳ３３０からＳ３７０についてのみ、説明する。
【００５９】
本発明の動的２次元コードは、識別コードにすることができる。例として、当該動的２次元コードは、別の電子設備によってカメラツールを使用して採集した後、２次元コードデコーダで２次元コード基準に基づいてデコードし、該動的２次元コード１００内の該２次元コード１１０と該識別画像１２０を判定し、更にそれぞれ２個の相反する状態で表示する。２個の相反する状態は、例としてそれぞれが、１と０、もしくは高と低であり、統合演算すると、一組の１と０の数字で構成された識別コードの順序が得られ、識別コードを識別することに拠って後続作業を進めるか否かを決定する。該後続作業には、更に２個の電子設備間のインタラクティブ操作を実施するか、もしくは読取りディスプレイ上で採集した該動的２次元コードの２次元コードデジタルデータに対してデコード変換と使用を行うか否かの決定を含む。
【００６０】
以上、上述はすべて本発明の実施例に過ぎず、本発明の請求の範囲を制限するものではない。拠って、本発明の請求の範囲には変化と修飾がすべて含まれるものとする。
【符号の説明】
【００６１】
１００        動的２次元コード
１１０        ２次元コード
１２０        識別画像
１３０        表示モジュール
【図１】
2017539038.tif 000003
【図２】
2017539038.tif 000004
【図３】
2017539038.tif 000005
【図４】
2017539038.tif 000006
【国際調査報告】
2017539038.tif 000007
2017539038.tif 000008
2017539038.tif 000009
2017539038.tif 000010